(57)【特許請求の範囲】
【請求項１】
扉の開放端側から出没可能なラッチと、該ラッチの突出状態の保持及び該保持状態の解除を行う連動機構と、前記扉の室内側及び室外側に設けた把手を扉の開放方向に押し或いは引くことにより把手の操作に連動する把手杆とを有する錠本体と、室内側の把手側に前記把手の押し引き操作に連動するように設けたアシスト杆と、室外側の把手側に該室外側の把手の操作に連動するように設けた作動杆とを備え、前記把手の押し引き操作によって前記把手杆を介して前記ラッチを解錠すると共に、前記アシスト杆を枠側に設けた当接部に当接させることにより、扉の開放力を助勢するようにした扉錠であって、
前記アシスト杆は、錠本体や枠の受座以外である室内側の把手の座の内部又は把手の内部自体に設けるとともに、平面視において略Ｙ字状（二股状）に形成され、一方突部は押動部とするとともに他方突部は腕部としてあり、この腕部は作動杆の腕部に係合可能に設け、把手の操作に連動してアシスト杆を回動し、該アシスト杆に形成した押動部を枠側の当接部に当接させるようにしたことを特徴とする扉錠。
【発明の詳細な説明】
【技術分野】
【０００１】
本発明は、マンションや戸建住宅の玄関などの扉錠に関し、特に把手（ハンドル）を操作して扉を開放する時、小さい力でも確実に扉を開放することができるようにした、扉の開放力を助勢（アシスト）するようにした扉錠に関するものである。
【背景技術】
【０００２】
近年、住宅の玄関扉は大型化され、それに伴い扉の開放には大きい力が必要となり、高齢者や子供にとっては大きな負担となっている。また、マンションなどの住居では、近年では高気密化されている為に、居室内の換気扇などの運転により、室内外での気圧差が生じて、玄関扉や間仕切扉の開放時に大きな力が必要となることがある。このような場合、特に高齢者や子供などは、扉の開放が困難となっている。
【０００３】
従来、上記のような不具合を解消する為に種々の発明が提案されている。例えば、以下に示す特許文献１では、扉開放時に、把手の操作によって錠本体内に設けた突出杆を錠本体から突出させ、該突出杆の斜面部を枠側に設けた受座のローラに当接させることにより、扉の開放力を助勢（アシスト）するようにしている。
【先行技術文献】
【特許文献】
【０００４】
【特許文献１】特開２０１１−９９２１９号公報
【発明の概要】
【発明が解決しようとする課題】
【０００５】
しかしながら、上記特許文献１の発明では、把手の操作によって錠本体内の突出杆を突出させるようにした錠本体やローラーを設けた受座などは、従来にはない新規な構造のものとなった。
従って、新規な錠本体や受座の製品化には、金型代など、高額な費用が必要であり、製品自体が高価なものとなった。
また、錠本体や受座の外形寸法も、必然的に従来のものとは異なり、扉や枠の加工寸法も従来とは異なる為、施行業者にとっても不都合であった。
更には、錠本体や受座の見栄えも悪く、しかも、把手を操作して扉を開放した時、錠本体からはラッチとは別の突出杆がラッチより大きく突出した状態となる為、人の通過時にこの突出杆に引っ掛かったりする虞もあった。
【０００６】
本発明は上記従来の問題点を解消する為になされたもので、その第一の目的は、錠本体や受座以外の部分、例えば把手や座に開放力を助勢する機構を設けることにより、錠本体や受座は従来のものをそのまま使用することができる、扉の開放力を助勢するようにした扉錠を提供することにある。
また、第二の目的は、錠本体や受座の見栄えを損なうことなく、しかも、扉を開放して人が通過時に、突出杆に引っ掛かる虞れのない扉錠を提供することにある。
更に、第三の目的は、既設の扉錠に対し、把手と座を取り替え、当接部を取り付けるだけで、簡単に開放力を助勢できる扉錠を提供することができるようにしたことにある。
【課題を解決するための手段】
【０００７】
次に、上記の課題を解決する為の手段を、実施の形態に対応する図面に基づいて説明する。
本発明の請求項１記載の扉錠１は、扉Ｄの開放端Ｄ１側から出没可能なラッチ２Ａと、該ラッチ２Ａの突出状態の保持及び該保持状態の解除を行う連動機構１１と、前記扉Ｄの室内側及び室外側に設けた把手１０、６０を扉Ｄの開放方向に押し或いは引くことにより、把手１０、６０の操作に連動する把手杆４、８とを有する錠本体２と、室内側の把手１０側に前記把手１０、６０の押し引き操作に連動するように設けたアシスト杆３と、室外側の把手６０側に該室外側の把手６０の操作に連動するように設けた作動杆７とを備え、前記把手１０、６０の押し引き操作によって前記把手杆４、８を介して前記ラッチ２Ａを解錠すると共に、前記アシスト杆３を枠Ｊ側に設けた当接部３６に当接させることにより、扉の開放力を助勢するようにした扉錠であって、
前記アシスト杆３は、錠本体２や枠Ｊの受座以外である室内側の把手１０の座２０の内部又は把手１０の内部自体に設けるとともに、平面視において略Ｙ字状（二股状）に形成され、一方突部は押動部３２とするとともに他方突部は腕部３４としてあり、この腕部３４は作動杆７の腕部７２に係合可能に設け、把手１０、６０の操作に連動してアシスト杆３を回動し、該アシスト杆３に形成した押動部３２を枠Ｊ側の当接部３６に当接させるようにしたことを特徴とする。
【０００８】
この扉錠１では、室内側および室外側の把手１０，６０を扉Ｄの開く方向に押し或いは引く操作により、把手杆４，８を回動し、該把手杆４，８を介して錠本体２の連動機構１１を作動させてラッチ２Ａが解錠されると共に把手１０，６０に連動するアシスト杆３を回動または摺動させる。該アシスト杆３の回動により、アシスト杆３に形成した押動部３２を、枠Ｊ側の当接部３６に当接させて押動することにより、扉Ｄの開放力を助勢して、小さな力でも扉Ｄを確実に開放できる。
【０００９】
すなわち、前記アシスト杆３は室内側の把手１０の座２０の内部又は把手１０の内部自体に回動自在に枢支されると共に、把手１０，６０の操作に連動して回動し、該アシスト杆３に形成した押動部３２を枠Ｊ側の当接部３６に当接させるようにしてある。
つまり、  室内側の把手１０側に回動自在に枢支されたアシスト杆３を回動し、該アシスト杆３に形成された押動部３２を枠Ｊ側の当接部３６に当接させることにより、扉Ｄの開放力を助勢することができる。
【００１０】
また、室外側の把手６０の操作に連動する作動杆７を室外側の把手６０側に設け、該室外側の把手６０の操作により該作動杆７の腕部７２を前記アシスト杆３の腕部３４に係合して該アシスト杆３を回動させるようにしてある。
これにより、室外側の把手６０を扉の開放方向に引くことにより、室外側の把手６０の操作に連動する作動杆７を介して前記アシスト杆３を回動し、該アシスト杆３に形成した押動部３２を枠側の当接部３６に当接させることにより、扉Ｄの開放力を助勢することができる。
【発明の効果】
【００１１】
本発明に係る請求項１記載の扉錠によれば、錠本体や受座は従来既存のものを使用することができるので従来の錠本体と同様に見栄えも良く、また、新規に錠本体や受座を製作する必要がないので、開放力を助勢することができる扉錠を安価に提供できる。また、既設の扉錠に於いて、把手と座のみを取り替えることによって、簡単に開放力を助勢することができる扉錠を提供できる。更には、アシスト杆は室内側の把手側に設け、該アシスト杆に形成した押動部を扉の開放端側に突出させることなく、扉の表面部に位置させると共に、該押動部に対向する部分の枠に設けた当接部に当接するようにしてあるので、人の通過時にアシスト杆に引っ掛かったりする虞れもない。
【００１２】
また、アシスト杆は室内側の把手側の座２０の内部又は把手１０の内部自体に設け、把手の操作に連動してアシスト杆を回動し、該アシスト杆に形成した押動部を枠側の当接部に当接させて、扉の開放力を助勢するようにしてあるので、テコの原理により把手を操作する力が小さい力でも大きな助勢力を得ることができ、扉を確実に開放することができる。
【００１３】
さらに、室外側の把手に連動する作動杆を設け、該室外側の把手の操作により作動杆を介してアシスト杆を回動または摺動し、該アシスト杆に形成した押動部を枠側の当接部に当接させて、扉の開放力を助勢するようにしてあるので、室外側の把手の操作によっても、扉の開放力を助勢することができ、把手を操作する小さい力でも確実に扉を開放することができる。
【図面の簡単な説明】
【００１４】
図１ないし図１３は本発明の第一実施例を示し、
【図１】本発明の扉錠の使用状態の閉扉状態を示すもので、（ａ）は扉の平面図、（ｂ）は正面図、（ｃ）は扉の一部を縦断した側面図である。
【図２】（ａ）は室内側の把手と座および軸受の組立状態を示し、（ｂ）は軸受の分解斜視図である。
【図３】（ａ）は室外側の把手と座および軸受の組立状態を示し、（ｂ）は軸受の分解斜視図である。
【図４】図１（ｂ）のＡ−Ａ断面図である。
【図５】図４のＣ−Ｃ断面図である。
【図６】錠本体の内部機構を示す正面図である
【図７】使用状態を示す平面図で、（ａ）は室内側の把手を角度Ｘだけ押した状態で、（ｂ）は更に角度Ｙだけ押した状態を示す。
【図８】使用状態を示す平面図で、（ａ）は室外側の把手を角度Ｘだけ引いた状態で、（ｂ）は更に角度Ｙだけ引いた状態を示す。
【図９】閉扉状態を示すもので、（ａ）は図４のＢ−Ｂ断面図、（ｂ）は図４のＤ−Ｄ断面図である。
【図１０】（ａ）は図７（ａ）の状態での図４のＢ−Ｂ断面図、（ｂ）は図７（ｂ）の状態での図４のＤ−Ｄ断面図である。
【図１１】（ａ）は図８（ａ）の状態での図４のＢ−Ｂ断面図、（ｂ）は図８（ｂ）の状態での図４のＤ−Ｄ断面図である。
【図１２】室外側の把手を角度Ｘだけ引いた状態を示し、（ａ）は図４のＢ−Ｂ断面図、（ｂ）は同Ｄ−Ｄ断面図である。
【図１３】室外側の把手を更に角度Ｙだけ引いた状態を示し、（ａ）は図４のＢ−Ｂ断面図、（ｂ）は図４のＤ−Ｄ断面図である。
【図１４】第二の実施例を示す要部平断面図である。
【図１５】第三の実施例を示す要部平断面図である。
【発明を実施するための形態】
【実施例１】
【００１５】
以下、本発明の実施の形態を図面に基づいて説明する。
図１〜図１３は本発明の具体的な実施例一を示すものであるので、この実施例一の説明を敷衍しながら本実施形態を説明する。
図１は、本発明に係る扉錠１の使用状態を示すもので、（ａ）は平面図、（ｂ）は正面図、（ｃ）は扉の一部を縦断した側面図である。図２，図３（ａ）は室内側の把手１０，室外側の把手６０と座２０および軸受５の組立状態を示し、（ｂ）はそれぞれ軸受５の分解斜視図である。
本発明に係る扉錠１は、室内側と室外側の座２０，２０に把手１０，６０が軸９１を支点に回動自在に保持され、該座２０，２０が室外方向に回動して開放される扉Ｄの表裏面に取り付けられる。
【００１６】
室内側の座２０には、上下の仕切２５，２５により形成された空間部２４に把手杆４と把手軸６およびアシスト杆３が回動自在に枢支された軸受５が嵌装され、その取付基部５４が取付用の穴５５を介してネジ５５Ａで固定される。なお、図２（ａ）の室内側の座２０には仕切２５や空間部２４などは図示されていないが、室外側の座２０と同じ構成なので図３（ａ）を参照するとよい。
【００１７】
該軸受５の後方（扉へ向かう方向）からは扉方向に把手杆４の腕部４１とアシスト杆３の腕部３４が突出しており、座２０を取り付けた時、図４に示すように把手杆４の腕部４１は扉Ｄに取り付けられた錠本体２（図６参照）内に挿入され、ラッチ２Ａを解錠操作する連動機構１１を作動する。また、アシスト杆３の腕部３４は錠本体２の下方で扉Ｄ内に挿入され、後述の室外側の座２０に設けられた作動杆７の腕部７２に係合する。
【００１８】
上記軸受５の前方（扉の反対方向）には把手軸６の連結部６４が突出しており、該連結部６４は座２０の中央部に形成した開口部２２から座２０の外に突出させ、該連結部６４を把手１０の基部１０Ａに形成した凹部１０Ｃに嵌装し、ネジ１０Ｄ、１０Ｄを穴１０Ｂ、１０Ｂから連結部６４に形成したネジ穴６７，６７にネジ込んで把手１０を連結し固定する。
【００１９】
また、前記軸受５に枢支されたアシスト杆３の押動部３２は、軸受５の下部の側面から突出しており、軸受５を座２０に嵌装する時、座２０の下部の側面に形成された開口部２１から突出するように設けられる。
【００２０】
なお、図中２８，２８は取付柱でネジ部２８Ａ，２８Ａが室外側の座２０のネジ穴２７，２７にネジ込まれて固定され、室内側の座２０の穴２３，２３を介してネジ２８Ｃ，２８Ｃで、内外の座２０，２０が扉Ｄに取り付けられる。その他、図中５９，５９は内外の座２０，２０に固定された軸受５，５から扉Ｄ方向に突設されたガイド柱で、錠本体２に形成されたガイド穴に挿入され、座を取り付ける時の作業性を向上させる役割を果たす。
【００２１】
室内側の前記軸受５は、図２に示されるように板状体により略矩形の箱状に形成されており、上部、中央部および下部に区切られた空間部５６，５７，５８が形成され、各空間部には把手杆４，把手軸６，アシスト杆３が各々垂直方向の軸９０，９１を支点に回動自在に枢支、保持されている。
【００２２】
該軸受５の各空間部５６，５７，５８を区切る水平板の右端部には垂直方向に対応する位置に、穴５０，…，５０が形成され、該穴５０に軸９０が挿通される。なお、軸９０は上部空間部５６に嵌装された把手杆４の軸穴４０にも挿通され、把手杆４は該軸９０を支点に回動する。
【００２３】
軸９１は、把手軸６が回動する支点となる軸で前記軸受５の空間部５６，５７，５８を区切る水平板に形成された穴５１，…，５１と、中央部の空間部５７に嵌装された把手軸６の基部６５に形成された穴６１に挿通され、把手軸６は該軸９１を支点に回動自在に軸受に枢支される。
また、軸９１は軸受５の下部に嵌装されたアシスト杆３の軸穴３１にも挿通され、アシスト杆３は軸９１を支点に回動する。該アシスト杆３は、その下部の切欠凹部３８にバネ３５を嵌装して軸９１に掛袈してあり、該バネ３５はアシスト杆３を動作前の状態に復帰させるように付勢している。
【００２４】
なお、把手軸６の軸部６５に形成された空間部６６にはバネ６８が、上記軸９１に挿通されて掛架されており、このバネ６８は把手軸６を作動する前の状態に復帰させるように付勢する。即ち、バネ６８は把手軸６に固定される把手１０を操作する前の状態に復帰させる方向に付勢する。
【００２５】
作動軸９２は、把手杆４の作動用の軸であり、軸受５の上部の空間部５６を区切る上下の水平板に形成された長穴５２，５２および把手杆４の係合穴４２に挿通されると共に、中央部の空間部５７に嵌装された把手軸６に形成された穴６２に挿通される。
従って、把手軸６の回動により軸９２は前記軸受５の長穴５２に沿って移動すると共に、把手杆４の係合穴４２を押動して、把手杆４を回動させる。
【００２６】
軸９３はアシスト杆３作動用の軸で、軸受５の下部の空間部５８を形成する上下の水平板に形成された長穴５３，５３に挿通されると共に、把手軸６の穴６３にも挿通される。また、該軸９３は、図９（ｂ）のようにアシスト杆３に形成した係合部３３に係合しており、把手軸６の回動により軸９３が軸受５の長穴５３に沿って移動し、アシスト杆３の係合部３３を押動して、アシスト杆３を反時計方向に回動させる。
【００２７】
次に、室外側の把手６０と座２０および軸受５などの構成を図３に基づいて説明すると、それらの構成は下記の差異以外は前記室内側の把手１０と座２０および軸受５と同じ構成であるので、その異なる構成についてのみ説明する。
即ち、異なる構成は、前記室内側の軸受５の下部の空間部５８にはアシスト杆３が嵌装されて枢支され、軸９３により押動されて回動するように設けられているのに対し、室外側の軸受５の下部の空間部５８には作動杆７が嵌装され、軸９０が該作動杆７の軸穴７０に挿通され、該軸９０を支点に作動杆７が回動自在に枢支されている点と、室外側の座２０には取付柱２８，２８が固設されるのに対し室内側の座２０には取付用の穴２３，２３が形成されている点である。
【００２８】
上記作動杆７の腕部７２は、軸受５の取付基部５４に形成した開口部から突出させ、図４に示すように、錠本体２の下方で扉内に挿入され、および図９（ｂ）に示すように前記室内側のアシスト杆３の腕部３４に係合される。また、作動杆７に形成した係合部７３には、室外側の把手軸６に挿通され保持された作動軸９３が係合し、室外側の把手６０および把手軸６の回動により作動軸９３が作動杆７の係合部７３を押動して、作動杆７を図９（ｂ）に於いて時計方向に回動させる。
【００２９】
なお、室外側の把手杆８は室内側の把手杆４とは、説明の便宜上符合を変えたが、同じ構成であり、腕部８１は腕部４１に、軸穴８０は軸穴４０に、係合穴８２は係合穴４２にそれぞれ対応する。
【００３０】
次に、上記のように構成された本発明の扉錠１の動作について説明する。
図１（ａ）は、閉扉状態を示す平面図で、図７（ａ）は図１（ａ）の状態から室内側の把手１０を角度Ｘだけ扉の開放方向に押して操作した状態で、図７（ｂ）は、把手１０を更に角度Ｙまで押して操作した状態を示す。
また、図９は図１（ａ）の状態の平断面図で、（ａ）は図４のＢ−Ｂ断面図、（ｂ）は同Ｄ−Ｄ断面図であり、図１０（ａ），（ｂ）はそれぞれ図９（ａ），（ｂ）の状態から室内側の把手１０を角度Ｘだけ操作した状態を示し、図１１（ａ），（ｂ）はそれぞれ、把手１０を更に角度Ｙまで操作した状態を示す。
【００３１】
まず、室内側の把手１０を角度Ｘだけ押して操作すると、図１０（ａ）に示すように把手１０は把手軸６の軸９１を支点に反時計方向に回動し、把手軸６に設けられた作動軸９２が軸受５に形成された長穴５２に沿って回動する。
該作動軸９２の回動によって、作動軸９２に係合する室内側の把手杆４のＬ字状の係合穴４２の作動軸９２との当接部が、該作動軸９２に押動され、把手杆４が軸９０を支点に図１０（ａ）および図７（ａ）の如く時計方向に回動する。
把手杆４が回動すると、作動軸９２はＬ字状の係合穴４２の当接部から外れた状態となり、当接部に影響されることなく、係合穴４２の長穴部及び軸受５のガイド用の長穴５２に沿って移動可能となる。即ち、把手杆４はそれ以上回動することなく、把手１０の回動が可能である。
【００３２】
室内側の把手杆４が回動すると、該把手杆４が係入されている図６の錠本体２に於いて、作動杆１８が把手杆４の腕部４１に押動され時計方向に回動し、連結部１８Ｂを介して連動機構１１を構成する下方の施錠部材１２を反時計方向に回動する。該施錠部材１２の回動によって、連結部１５を介して上方の施錠部材１２が時計方向に回動される。その結果、上下の施錠部材１２の係止部１３とラッチ２Ａの係止溝２Ｂとの係止が解錠され、ラッチ２Ａは解錠され反転可能となり、扉Ｄの開放が可能となる。（該錠本体２およびラッチ２Ａは特開平１１−１４８２５９号公報にも示される公知のものであり、反転作動の詳細説明は省略する。）。
【００３３】
上記の如く、室内側の把手１０を押して角度Ｘだけ操作してラッチ２Ａを解錠した時のアシスト杆３は図１０（ｂ）の如く、把手軸６に設けた作動軸９３により、その係合部３３が押動され反時計方向に回動し、押動部３２が枠Ｊに設けた当接部３６に当接した状態となっている。
【００３４】
上記の状態から、図１１の如く把手１０を更に角度Ｙだけ押して操作すると、図１１（ａ）に示されるように作動軸９２は把手杆４の係合穴４２の長穴部および軸受５の長穴５２に沿って移動するので、把手杆４はそれ以上回動することなく、図１０（ａ）の状態を維持している。一方、アシスト杆３は、把手軸６に設けられた作動軸９３によって係合部３３が押動され図１１（ｂ）の状態にまで回動され、押動部３２が枠に設けた当接部３６を押動し、その反力が、扉Ｄの開放力を助勢（アシスト）するので、把手１０の小さい操作力でも確実に扉Ｄを開放することができる。
尚、この時ラッチ錠２のラッチ２Ａは解錠されているので反転可能であり、図７（ａ）の状態から図７（ｂ）の状態に反転して扉の開放が可能となり、扉Ｄが開放されると、扉Ｄと枠Ｊとの間に隙間Ｐが生じ、その隙間Ｐにより、室内側と室外側とに生じていた気圧差が解消されるので、気圧差により開放が困難な扉Ｄでも、楽に開放することができる。
【００３５】
次に、図８と図１２および図１３に基づいて室外側の把手６０を操作した時の動作を説明する。
図８（ａ）は把手６０を扉Ｄの開放方向に角度Ｘだけ引いて操作した状態の平面図で、図１２（ａ）はその状態に於ける図４のＣ−Ｃ断面図、（ｂ）は同Ｅ−Ｅ断面図である。
【００３６】
室外側の把手６０を扉の開放方向に引いて角度Ｘだけ操作した時、前記の室内側の把手１０を角度Ｘだけ押して操作した時と同様に、室外側の把手杆８はそのＬ字状の係合穴８２に係合する作動軸９２により係合穴８２の当接部が押動され、図８（ａ）および図１２（ａ）の如く軸９０を支点に時計方向に回動される。
【００３７】
室外側の把手杆８が回動すると、図６の錠本体２に於いて、把手杆８の腕部８１が上方の施錠部材１２の後端部を押動し、該施錠部材１２を時計方向に回動させ、連結部１５を介して下方の施錠部材１２は反時計方向に回動される。即ち、前記室内側の把手杆４が回動した時と同様にラッチ錠２のラッチ２Ａは、連動機構１１を介して解錠され、ラッチ２Ａは反転可能となり扉Ｄの開放が可能となる。
【００３８】
室外側の把手６０を角度Ｘだけ操作した時、作動杆７は図１２（ｂ）に示すように、該作動杆７に形成した係合部７３が把手６０の把手軸６に設けた作動軸９３に押動され、軸９０を支点に時計方向に回動される。
作動杆７が回動すると、作動杆７の腕部７２が係合する前記アシスト杆３の腕部３４を押動してアシスト杆３を反時計方向に回動させ、アシスト杆３の押動部３２が枠側の当接部３６に当接状態となる。
【００３９】
次に、室外側の把手６０を更に角度Ｙだけ引いて操作した時の動作を説明する。
図１３は、図１２の状態から室外側の把手６０を更に角度Ｙだけ引いて操作した状態を示すもので、（ａ），（ｂ）はそれぞれ図１２の（ａ），（ｂ）に対応している。
把手６０を更に角度Ｙだけ引いて操作した時、前記室内側の把手１０を操作した時と同様に図１３（ａ）の如く、把手杆８作動用の作動軸９２は把手杆８の係合穴８２の長穴部と軸受５の長穴５２に沿って自由に移動できるが、把手杆８はそれ以上回動されることなく、図１２（ａ）の状態を維持したままである。
【００４０】
一方、アシスト杆３は図１３（ｂ）の如く把手６０の把手軸６に設けた作動軸９３により押動され、図１２（ｂ）の状態から更に時計方向に回動され、該作動杆７の腕部７２がアシスト杆３の腕部７４を押動して、アシスト杆３を回動させ、アシスト杆３の押動部３２が枠側の当接部３６を押動し、前記と同様に扉Ｄの開放力の助勢力が作用して扉Ｄを開放することができる。
なお、図１（ａ），図７（ａ）・（ｂ），図８（ａ）・（ｂ）で、符号Ｓは枠Ｊに設けた受である。また、図１（ａ）・（ｂ），図７（ａ），図８（ａ），図１０（ｂ）、図１１（ｂ）、図１３（ｂ）で、符号Ｊ１は枠Ｊの室内側の表面である。
【実施例２】
【００４１】
図１４は本発明の第二実施例の扉錠の要部平断面図であり、アシスト杆３Ａの構成のみが前記第一実施例のものとは異なる。
即ち、前記第一実施例では、アシスト杆３は把手１０および把手軸６とは別体に回動自在に設けてあるのに対し、本第二実施例ではアシスト杆３Ａはその連結部３７を介して室内側の把手１０に一体的に連結され、軸９１を支点にして把手１０と一体に回動するように設けてある。尚、第一実施例のアシスト杆３と同様に該アシスト杆３Ａにも腕部３４と押動部３２が形成されており、把手１０，６０を角度Ｘだけ操作した時はラッチ錠２のラッチ２Ａが解錠され、アシスト杆３Ａの押動部３２は当接部３６に当接した状態となる。更に、把手１０，６０を角度Ｙだけ操作すると、アシスト杆３Ａの押動部３２が当接部３６を押動し、その反力が扉Ｄの開放力の助勢力として作用する。
【実施例３】
【００４２】
図１５は、本発明の扉錠の第三実施例の扉錠の要部平断面図であり、アシスト杆３Ｂの構成のみが前記第一実施例および第二実施例のものとは異なる。
即ち、本第三実施例では、アシスト杆３Ｂは室内側の座２０内に左右水平方向に摺動自在に嵌装されており、座２０の側面部に形成した開口部２１から枠Ｊ方向に突出するように設けられている。
該アシスト杆３Ｂの先端部には斜面３２Ｂが形成され、後端部に形成された係合部３３Ｂには把手１０の把手軸６に設けられた作動軸９３が係合されると共に、バネ３５Ｂにより後退方向に付勢されている。
また、該アシスト杆３Ｂには前記第一実施例と同様の腕部３４が形成され、室外側に設けられた作動杆７の腕部７２に係合している。
【００４３】
上記第三実施例のアシスト杆３Ｂの動作を説明すると、図１５は室内側の把手１０を角度Ｘだけ押してまたは室外側の把手６０を角度Ｘだけ引いて操作した状態を示し、この状態では把手杆４（または把手杆８）によりラッチ２Ａは解錠される。次に把手１０（または把手６０）を更に角度Ｙだけ操作すると、把手軸６に設けた作動軸９３がアシスト杆３Ｂの係合部３３Ｂを押動して、または、作動杆７の腕部７２がアシスト杆３Ｂの腕部３４を押動して、アシスト杆３Ｂをバネ３５Ｂの付勢力に抗して枠方向に突出作動させる。該アシスト杆３Ｂの突出により、先端部に形成した斜面３２Ｂが枠側の当接部３６を押動し、その斜面３２Ｂの作用による反力が扉Ｄの開放方向に作用し、扉の開放力の助勢力として作用する。
【００４４】
上記のように構成された開放力を助勢するようにした扉錠では、把手１０，６０の押し引き操作により、アシスト杆の押動部３２を枠側の当接部３６に当接させて押動することにより、扉の開放力を助勢することができるので、小さな力でも確実に扉Ｄを開放することができる。
【００４５】
尚、上記の実施例では、アシスト杆３の押動部３２が当接して押動する当接部３６は、矩形状の金属製または樹脂製の当接部３６を別体に形成し、ネジで枠Ｊに取り付けたものを示したが、この当接部３６は別体に作成することなく枠Ｊに一体に形成してもよい。
【００４６】
（変形例など）
前記の錠本体２は、ラッチ２Ａのみを有したラッチ錠の構成を示したが、錠本体２はこれに限られることなく、例えば特開平１１−１４８２５９号公報に示されるような、１つの錠ケース内に本締用のデッドボルトを併せ持つような錠本体でもよい。
なお、前記のラッチ錠の構成を有する錠本体２を玄関扉などに使用する場合は、該錠本体２とは別に、デッドボルトを有した本締錠を別途に、錠本体２の上部または上下の２ヶ所に取り付けて使用することが望ましい。
【００４７】
その他、前記の当接部３６は金属製または樹脂製の矩形状体に別途形成し、枠Ｊにネジ等により取り付けたものを示したが、該当接部３６は枠Ｊに突出部を設けるなどして、枠Ｊに一体形成してもよい。
【符号の説明】
【００４８】
１        扉錠
２        錠本体
２Ａ      ラッチ
３        アシスト杆（第一実施例）
３Ａ      アシスト杆（第二実施例）
３Ｂ      アシスト杆（第三実施例）
４        室内側の把手杆
４１      把手杆４の腕部
５        軸受
６        把手軸
７        作動杆
８        室外側の把手杆
８１      把手杆８の腕部
１０      室内側の把手
１１      連動機構
２０      座
３２      押動部
３６      当接部
６０      室外側の把手
Ｄ        扉
Ｊ        枠
Ｐ        扉の開放部
【図１】
0005950564.tif 000002
【図２】
0005950564.tif 000003
【図３】
0005950564.tif 000004
【図４】
0005950564.tif 000005
【図５】
0005950564.tif 000006
【図６】
0005950564.tif 000007
【図７】
0005950564.tif 000008
【図８】
0005950564.tif 000009
【図９】
0005950564.tif 000010
【図１０】
0005950564.tif 000011
【図１１】
0005950564.tif 000012
【図１２】
0005950564.tif 000013
【図１３】
0005950564.tif 000014
【図１４】
0005950564.tif 000015
【図１５】
0005950564.tif 000016